(57)【要約】【課題】偽造、改ざんをより確実に防止することができる、個人認証媒体及び個人認証媒体発行装置を提供する。【解決手段】券面に少なくとも顔画像１２と、電子透かし情報の挿入された電子透かし画像１３とを有し、前記電子透かし画像はそれぞれ前記顔画像１２の領域とその周辺領域１４とにまたがって形成されている両端部を有する。【選択図】      図１
2008137228.tif 000002
【特許請求の範囲】
【請求項１】
券面に少なくとも顔画像と、電子透かし情報の挿入された電子透かし画像とを有する個人認証媒体であって、
前記電子透かし画像はそれぞれ前記顔画像の領域とその周辺領域とにまたがって形成されている両端部を有する個人認証媒体。
【請求項２】
券面に少なくとも顔画像と、電子透かし情報の挿入された電子透かし画像とを有する個人認証媒体であって、
前記電子透かし画像は、前記顔画像の領域とその周辺領域とにまたがり、且つ、前記電子透かし画像の中心線と前記顔画像の基準線とがランダムに設定された角度を成すように形成されている個人認証媒体。
【請求項３】
前記電子透かし情報には個人認証媒体の固有の識別情報が使用される請求項１または２に記載の個人認証媒体。
【請求項４】
顔画像を取得する顔画像取得手段、
識別情報を含む電子情報を前記顔画像と対応させて管理する情報管理手段と、
前記顔画像と前記電子情報とを含む券面画像を作成する券面画像作成手段と、
電子透かし情報の挿入された電子透かし画像の両端部を前記券面画像内の顔画像の領域とその周辺領域とにまたがって埋め込む電子透かし埋込手段と、
前記電子透かし画像の埋め込まれた券面画像を用いて個人認証媒体を印刷し発行する印刷発行手段と、
を備えた個人認証媒体発行装置。
【請求項５】
顔画像を取得する顔画像取得手段、
識別情報を含む電子情報を前記顔画像と対応させて管理する情報管理手段と、
前記顔画像と前記電子情報とを含む券面画像を作成する券面画像作成手段と、
電子透かし情報の挿入された電子透かし画像を前記券面画像内の顔画像の領域とその周辺領域とにまたがって、且つ、埋め込み位置をランダムに決定して埋め込む電子透かし埋込手段と、
前記電子透かし画像の埋め込まれた券面画像を用いて個人認証媒体を印刷し発行する印刷発行手段と、
を備えた個人認証媒体発行装置。
【請求項６】
顔画像を取得する顔画像取得手段、
識別情報を含む電子情報を前記顔画像と対応させて管理する情報管理手段と、
前記顔画像と前記電子情報とを含む券面画像を作成する券面画像作成手段と、
電子透かし情報の挿入された電子透かし画像を前記券面画像内の顔画像の領域とその周辺領域とにまたがって、且つ、前記電子透かし画像の中心線と前記顔画像の基準線とが成す角をランダムに決定して埋め込む電子透かし埋込手段と、
前記電子透かし画像の埋め込まれた券面画像を用いて個人認証媒体を印刷し発行する印刷発行手段と、
を備えた個人認証媒体発行装置。
【請求項７】
前記電子透かし情報には個人認証媒体の固有の識別情報が使用される請求項４乃至６のいずれかに記載の個人認証媒体発行装置。
【発明の詳細な説明】
【技術分野】
【０００１】
この発明は、媒体の所有者を証明する個人認証媒体及び個人認証媒体発行装置に関する。
【背景技術】
【０００２】
近年、情報の電子化やインターネットの普及に伴って、画像の偽造や変造防止のために電子透かし、電子署名などの技術が重要視されている。特に、主画像の情報に付加的な副情報（副画像の情報）を不可視の状態で埋め込む電子透かし技術がある。ＩＤカードなどの個人認証媒体の偽造、改ざんに対する対策としてこの電子透かし技術が提案されている。
【０００３】
たとえば、顔画像にＩＤ情報を電子透かしとして重畳し印刷したＩＤカード、ＩＤカード検査装置及びＩＤカード発行装置が提示されている（たとえば、特許文献１参照）。
【特許文献１】特開２００５―１２６７号公報
【発明の開示】
【発明が解決しようとする課題】
【０００４】
しかし、上記した従来のＩＤカードでは、電子透かしは顔画像にしか含まれていない。その為、同じく電子透かしの埋め込まれた他人の顔画像をＩＤカードに貼り替えることにより、偽造が起こり得るという問題がある。
【０００５】
また、電子透かしにＩＤカード固有の情報が用いられる場合でも、その固有の情報が読み取られる可能性がある。その場合、読み取ったＩＤカード固有の情報が電子透かしとして他人の顔画像に埋め込まれる。その電子透かしの埋め込まれた他人の顔画像をＩＤカードに貼り替えることにより、偽造が起こり得るという問題がある。
【０００６】
そこで、本発明の目的は、偽造、改ざんをより確実に防止することができる、個人認証媒体及び個人認証媒体発行装置を提供することにある。
【課題を解決するための手段】
【０００７】
上記の目的を達成する為に、本発明の一実施形態における個人認証媒体は、券面に少なくとも顔画像と、電子透かし情報の挿入された電子透かし画像とを有する個人認証媒体であって、前記電子透かし画像はそれぞれ前記顔画像の領域とその周辺領域とにまたがって形成されている両端部を有する。
【０００８】
また、本発明の一実施形態における個人認証媒体発行装置は、顔画像を取得する顔画像取得手段、識別情報を含む電子情報を前記顔画像と対応させて管理する情報管理手段と、前記顔画像と前記電子情報とを含む券面画像を作成する券面画像作成手段と、電子透かし情報の挿入された電子透かし画像の両端部を前記券面画像内の顔画像の領域とその周辺領域とにまたがって埋め込む電子透かし埋込手段と、前記電子透かし画像の埋め込まれた券面画像を用いて個人認証媒体を印刷し発行する印刷発行手段とを備える。
【発明の効果】
【０００９】
上記した構成により、偽造、改ざんをより確実に防止することができる、個人認証媒体及び個人認証媒体発行装置を提供することができる。
【発明を実施するための最良の形態】
【００１０】
以下、本発明の一実施形態に係る免許証（個人認証媒体）について図面を参照して説明する。本実施形態では個人認証媒体は免許証として説明する。しかし、個人認証媒体は、例えばパスポート、ＩＤカード、クレジットカード等、顔写真入りのものであれば如何なるものであっても、本発明は適用され得る。
【００１１】
図１は、本実施形態において発行された免許証１０の一例を示す図である。免許証１０は矩形状に形成されている。免許証１０の一方の表面は矩形状の券面１７を形成している。券面１７には、免許証情報１１、顔画像１２、及び電子透かし画像（電子透かし）１３が券面画像として印刷されている。顔画像１２は矩形状に形成されている。顔画像１２は各辺が券面１７の各辺とそれぞれ平行となるように形成されている。図１にハッチングで示すように、顔画像１２の周辺には枠状の周辺領域１４が設けられている。
【００１２】
ここで電子透かしとは、情報を肉眼で目視できない状態で券面画像に重畳された画像である。電子透かしを目視できる状態にするには、専用の読取装置を用いて画像処理する必要がある。
【００１３】
電子透かしを埋め込む方法としては、例えば補色の関係を用いた方法がある。人間は輝度情報よりも色差情報の方が判別困難であるという視覚特性を有している。例えば、赤色とシアン色とが細かく配列されている場合、人間の目には判別しにくく無彩色に見える。この特性を利用し、補色の関係を有する複数色で画像を形成することにより、肉眼では見えない電子透かしを埋め込むことができる。
【００１４】
免許証情報１１には免許申請者の個人情報及び、免許証番号、有効期限等が含まれる。顔画像１２は免許申請者の顔写真であり、券面１７内の所定の領域に印刷される。電子透かし画像１３には電子透かし情報を画像データ化したものが挿入されている。ここでは、免許証固有の識別情報が電子透かし情報として用いられる。例えば、本実施形態では識別情報として免許証番号が用いられている。
【００１５】
顔画像１２の外辺の内の一辺を基準線１５とし、電子透かし画像１３を長手方向に沿った線を中心線１６とした場合、電子透かし画像１３は、その中心線１６が基準線１５に対して埋め込み角度θを成すように形成されている。この埋め込み角度θは例えば乱数などによってランダムに決定される。
【００１６】
上記した構成によると、電子透かし画像１３は顔画像１２の領域とその周辺領域１４とにまたがって形成されている。即ち、電子透かし画像１３の長手方向の両端部は顔画像１２の領域とその周辺領域１４とにまたがって形成されている。
【００１７】
上記のように構成された免許証１０によれば、電子透かし画像１３の埋め込まれた他人の顔画像を免許証１０に貼り替えた場合、電子透かし画像１３が顔画像１２の領域とその周辺領域１４とで分断される。よって免許証１０の偽造、改ざんを検知することができる。
【００１８】
また、上記した構成によると、複数枚の免許証で電子透かし画像１３の埋め込み角度θが異なる。この為、免許証の偽造に用いられる電子透かし情報が正規のものと一致する場合でも、埋め込み角度θの差異により免許証１０の偽造、改ざんを検知できる。
【００１９】
ここで、基準線１５は顔画像１２の外辺の内の一辺としたが、これに限定されるものではない。券面１７内で常に既定箇所に位置する線であれば如何なる線を用いても本旨を逸脱しない。即ち、顔画像１２は長方形に限定されるものではなく、如何なる形状をしていてもよい。
【００２０】
また、中心線１６は電子透かし画像１３を幅方向に横断する線としたが、これに限定されるものではない。電子透かし画像１３内で常に既定箇所に位置する線であれば如何なる線を用いても本旨を逸脱しない。
【００２１】
電子透かし画像１３の埋め込み位置はランダムに決定されている。例えば、券面１７に座標が設定され、その縦軸と横軸の値がランダムに決定され、その座標に電子透かし画像１３が埋め込まれる。この場合、複数枚の免許証で電子透かし画像１３の埋め込み位置が異なる。この為、免許証の偽造に用いられる電子透かし情報が正規のものと一致する場合でも、埋め込み位置の差異により電子透かし画像１３が分断される。よって、より確実に免許証１０の偽造、改ざんを検知することができる。
【００２２】
次に免許証１０を発行する免許証（個人認証媒体）発行装置について説明する。  
図２は、本実施形態に係る免許証（個人認証媒体）発行装置の概略構成を示すブロック図である。  
本実施形態に係る免許証発行システムは、旧免許証を基に、電子透かしの埋め込まれた新免許証を発行する構成となっている。図２に示すように、免許証発行システムは、ホストコンピュータ２０、撮影装置３０、及び免許証作成装置４０を有している。ホストコンピュータ２０、撮影装置３０、及び免許証作成装置４０は、ＬＡＮなどのネットワーク回線５０を介して互いに接続されている。
【００２３】
ホストコンピュータ２０は免許証情報１１と顔画像１２の管理及び券面画像の作成も行う。ホストコンピュータ２０は情報管理部２１と、券面画像作成部２２と、入力部２３とを有する。情報管理部２１は例えばサーバなどで構成され、免許証情報１１と免許申請者の顔画像１２とを対応させて蓄積している。券面画像作成部２２は、情報管理部２１に蓄積されている免許証情報１１と顔画像１２とから印刷データ（券面画像）を作成する。入力部２３は、情報管理部２１に蓄積されている免許証情報１１の変更を行うことができる。  
なお、入力部２３では、新規申請者から受領した申請書に基づきオペレータが免許証情報１１を入力するようにしてもよい。
【００２４】
撮影装置３０は免許申請者の顔の撮影と、旧免許証の免許証番号の読取を行う。撮影装置３０は撮影部３１と番号読取部３２とを有する。撮影部３１は申請者の顔を撮影し顔画像１２を作成する。番号読取部３２は旧免許証を撮像し、撮影画像から旧免許証の免許証番号を読み取る。  
ここで撮影装置３０は、ネットワーク回線５０を介して接続されている他の機器から申請者の顔画像１２を取得する構成であっても良い。
【００２５】
免許証作成装置４０は電子透かしの埋め込みと免許証の印刷発行とを行う。免許証作成装置４０は、電子透かし埋込部４２と、埋込制御部４１と、印刷発行部４３とを有する。  
埋込制御部４１は、電子透かし画像１３の埋め込み位置と埋め込み角度θを決定する。まず、電子透かし画像１３の埋め込み角度θを例えば乱数を用いてランダムに決定する。次に、埋込制御部４１は券面画像から顔画像１２の領域とその周辺領域１４とを認識する。埋込制御部４１は、電子透かし画像１３の長手方向の両端の縁部が周辺領域１４上に埋め込まれるように電子透かし埋込部４２を制御する。
【００２６】
電子透かし埋込部４２は免許証番号を画像データ化し電子透かし画像１３を作成する。電子透かし埋込部４２は埋込制御部４１の制御に基づいて電子透かし画像１３を券面画像に埋め込む。印刷発行部４３は電子透かし画像１３の重畳された券面画像を免許証１０の券面１７に印刷し、発行する。埋込制御部４１と電子透かし埋込部４２とが埋込手段を成している。
【００２７】
なお、電子透かし埋込部４２は免許証番号を画像データ化し電子透かし画像１３を作成するとしたが、固有の識別情報であれば如何なるものを用いて電子透かし画像１３を作成しても本旨を逸脱しない。
【００２８】
図３は、図２に示した免許証発行システムにおける免許証１０の発行時の動作を示すフローチャートである。撮影装置３０に旧免許証が設置され処理が開始される（ステップＳＡ１）。番号読取部３２は旧免許証の免許証番号を読み取る（ステップＳＡ２）。また、撮影部３１は、免許申請者の顔を撮影し、顔画像１２を作成する（ステップＳＡ３）。
【００２９】
ホストコンピュータ２０は、撮影装置３０から読み取った免許証番号と作成した顔画像１２とを取得する。そしてホストコンピュータ２０は、該免許証番号に対応する免許証情報１１を情報管理部２１より抽出する（ステップＳＡ４）。券面画像作成部２２は顔画像１２と免許証情報１１とを取得し、券面画像を作成する（ステップＳＡ５）。
【００３０】
免許証作成装置４０はホストコンピュータ２０より券面画像を取得する。埋込制御部４１は電子透かし画像１３の埋め込み角度θを例えば乱数を用いてランダムに決定する。埋込制御部４１は券面画像から顔画像１２の領域とその周辺領域１４とを認識する。埋込制御部４１は、電子透かし画像１３の長手方向の両端の縁部が周辺領域１４上に埋め込まれるように埋め込み位置を決定する（ステップＳＡ６）。電子透かし埋込部４２は免許証番号（電子透かし情報）を画像データ化し電子透かし画像１３を作成する。
【００３１】
電子透かし埋込部４２は埋込制御部４１の制御に基づいて電子透かし画像１３を券面画像に重畳する（ステップＳＡ７）。印刷発行部４３は電子透かし画像１３の重畳された券面画像を免許証１０の券面１７に印刷する（ステップＳＡ８）。免許証作成装置４０は印刷された免許証１０を発行し（ステップＳＡ９）、処理を終了する。
【００３２】
ここで、埋め込み角度θは０°から３６０°の範囲でランダムに決定される。  
なお、電子透かし画像１３は顔画像１２の領域とその周辺領域１４とにまたがって形成されていれば、券面画像内の如何なる位置に埋め込まれていても本発明の実施に影響はない。  
上記の構成により、券面画像の顔画像１２の領域とその周辺領域１４とにまたがって電子透かし画像１３を埋め込むことができる。
【００３３】
次に、免許証１０を検査する免許証（個人認証媒体）検査装置、ここでは電子透かしビューワについて説明する。  
図４は、本発明の一実施形態に係る電子透かしビューワ６０の概略構成を示すブロック図である。電子透かしビューワ６０は、画像読取部６１と、画像合成部６５と、表示部６６とを備えている。
【００３４】
画像読取部６１は免許証１０の券面を画像データ化するものである。画像読取部６１は、スキャナ６２、画像切出部６３、及び電子透かし抽出部６４を有する。スキャナ６２は、免許証１０を光学的にスキャンし券面イメージを作成する。画像切出部６３は、スキャナ６２により得られた券面イメージ内の電子透かし画像１３の埋め込まれている範囲の画像（切片画像）を切出す。電子透かし抽出部６４は切片画像に重畳されている電子透かし画像１３を可視化し電子透かし抽出画像を作成する。
【００３５】
画像合成部６５は、スキャナ６２により得られた券面イメージに、電子透かし抽出部６４により作成された電子透かし抽出画像をインポーズし、インポーズデータを作成する。表示部６６は、例えば液晶パネルなどで構成される表示装置であり、インポーズデータを表示する。
【００３６】
図５は、電子透かしビューワ６０において、インポーズデータを表示する際の動作を示すフローチャートである。画像読取部６１に免許証１０がセットされ処理が開始される（ステップＳＢ１）。スキャナ６２は、免許証１０を光学的にスキャンし券面イメージを作成する（ステップＳＢ２）。画像切出部６３は、スキャナ６２により得られた券面イメージ内の電子透かし画像１３の埋め込まれている範囲の画像（切片画像）を切出す（ステップＳＢ３）。電子透かし抽出部６４は切片画像に重畳されている電子透かし画像１３を可視化し電子透かし抽出画像を作成する（ステップＳＢ４）。
【００３７】
画像合成部６５は、スキャナ６２により得られた券面イメージに、電子透かし抽出部６４により作成された電子透かし抽出画像をインポーズし、インポーズデータを作成する（ステップＳＢ５）。  
表示部６６は、画像合成部６５よりインポーズデータを取得する。表示部６６は、インポーズデータを表示し（ステップＳＢ６）、処理を終了する（ステップＳＢ７）。
【００３８】
図６は、電子透かしビューワ６０により得られた、免許証１０のインポーズデータ７３の表示例を示す図である。図６（Ａ）に示すように、免許証１０の券面イメージ７０には免許証情報１１、顔画像１２、及び電子透かし画像１３が含まれている。また、画像切出部６３によって、券面イメージ７０内の電子透かし画像１３の埋め込まれている範囲の画像が切片画像７１として設定されている。
【００３９】
電子透かし抽出部６４は、切片画像７１に含まれる電子透かし画像１３を可視化し電子透かし抽出画像７２を作成する。画像合成部６５は券面イメージ７０に電子透かし抽出画像７２をインポーズし、インポーズデータ７３を作成する。そして図６（Ｂ）に示すように、表示部６６はインポーズデータ７３を表示する。
【００４０】
上記の構成により、免許証１０に埋め込まれている電子透かし画像１３を可視状態で表示することができる。その為、電子透かし画像１３が正しいか否か、即ち電子透かし情報が合っているか、顔画像１２内の電子透かし画像１３と周辺領域１４の電子透かし画像１３とが正確に連続しているか、を容易に認識することができる。従って、電子透かしの真偽を確認することにより、顔画像１２を差し替えることによる免許証１０の偽造、改ざんを瞬時に発見することができる。
【００４１】
以下、本発明の他の実施形態に係る免許証（個人認証媒体）について図面を参照して説明する。  
図７は、本発明の他の実施形態において発行された免許証１０の一例を示す図である。図７は、図１に示した電子透かし画像１３の電子透かし情報、埋め込み位置、及び埋め込み角度を変更したものである。  
本実施形態では、免許証固有の記号が電子透かし情報として用いられている。電子透かし画像１３には該電子透かし情報が挿入されている。
【００４２】
また、図１に示した実施形態では、電子透かし画像１３の長手方向の両端部が顔画像１２の領域とその周辺領域１４とにまたがって形成されているとしたが、本実施形態では、電子透かし画像１３の一方の端部が顔画像１２の領域とその周辺領域１４とにまたがって形成されている。
【００４３】
本実施形態において、他の構成は図１に示した実施形態と同一であり、同一の部分には同一の参照符号を付してその詳細な説明を省略した。そして、本実施形態においても、図１に示した実施形態と同様の作用効果を得ることができる。
【００４４】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【００４５】
例えば、電子透かし画像１３は免許証固有の番号や記号を画像データ化したものに限定されない。例えば電子透かし画像１３は、番号や記号に限らず免許証固有の模様であってもよい。
【図面の簡単な説明】
【００４６】
【図１】図１は、本実施形態において発行された免許証の一例を示す図である
【図２】図２は、本実施形態に係る免許証発行システムの概略構成を示すブロック図である。
【図３】図３は、図２に示した免許証発行システムにおける免許証の発行時の動作を示すフローチャートである。
【図４】図４は、本発明の一実施形態に係る電子透かしビューワの概略構成を示すブロック図である。
【図５】図５は、図４に示した電子透かしビューワにおいて、インポーズデータを表示する際の動作を示すフローチャートである。
【図６】図６は、図４に示した電子透かしビューワにより得られた、免許証のインポーズデータの表示例を示す図である。
【図７】図７は、他の実施形態において発行された免許証の一例を示す図である。
【符号の説明】
【００４７】
１２…顔画像、１３…電子透かし画像、１４…周辺領域、２１…情報管理部、２２…券面画像作成部、３０…撮影装置、４１…埋込制御部、４２…電子透かし埋込部、４３…印刷発行部、６２…スキャナ、６３…画像切出部、６４…電子透かし抽出部、６５…画像合成部、６６…表示部。
【図１】
2008137228.tif 000003
【図２】
2008137228.tif 000004
【図３】
2008137228.tif 000005
【図４】
2008137228.tif 000006
【図５】
2008137228.tif 000007
【図６】
2008137228.tif 000008
【図７】
2008137228.tif 000009